(57)【要約】【課題】簡単で直観的なタッチ操作により、地図を部分的に拡大することが可能な画像表示装置を提供する。【解決手段】地図画像表示装置は、地図画像を表示する地図表示領域を含み、ユーザからの指示を示すタッチ操作が行われたことを検出するタッチパネルと、地図表示領域に地図画像が表示されている場合において、タッチパネルが、地図表示領域において、所定の時間又は所定の圧力を超えるタッチ操作が行われたことを検出すると、当該タッチ操作された点を中心点として、当該地図画像の一部分である領域を拡大した部分拡大地図画像を形成し、地図画像の前面に部分拡大地図画像を配置して表示するようタッチパネルを制御する表示制御部とを備える。【選択図】図６
2015060144.tif 000002
【特許請求の範囲】
【請求項１】
地図画像を表示する地図表示領域を含み、ユーザからの指示を示すタッチ操作が行われたことを検出するタッチパネルと、
前記地図表示領域に地図画像が表示されている場合において、前記タッチパネルが、前記地図表示領域において、所定の時間又は所定の圧力を超えるタッチ操作が行われたことを検出すると、当該タッチ操作された点を中心点として、当該地図画像の一部分である領域を拡大した部分拡大地図画像を形成し、前記地図画像の前面に前記部分拡大地図画像を配置して表示するよう前記タッチパネルを制御する表示制御部と、
を備えた地図画像表示装置。
【請求項２】
地図画像を表示する地図表示領域を含み、ユーザからの指示を示すタッチ操作が行われたことを検出するタッチパネルと、
前記地図表示領域に地図画像が表示されている場合において、前記タッチパネルが、前記地図表示領域において、所定の時間又は所定の圧力を超えるタッチ操作が２点において同時に行われたことを検出すると、前記２点間の点を中心点として、当該地図画像の一部分である領域を拡大した部分拡大地図画像を形成し、前記地図画像の前面に前記部分拡大地図画像を配置して表示するよう前記タッチパネルを制御する表示制御部と、
を備えた地図画像表示装置。
【請求項３】
地図画像を表示する地図表示領域を含み、ユーザからの指示を示すタッチ操作が行われたことを検出するタッチパネルと、
前記地図表示領域に地図画像が表示されている場合において、前記タッチパネルが、前記地図表示領域において、３点を起点としたピンチアウト操作を検出すると、前記３点で画定される三角形の中の点を中心点として、当該地図画像の一部分である領域を拡大した部分拡大地図画像を形成し、前記地図画像の前面に前記部分拡大地図画像を配置して表示するよう前記タッチパネルを制御する表示制御部と、
を備えた地図画像表示装置。
【請求項４】
地図画像を表示する地図表示領域と予め定められた拡大レンズ型の拡大画像を表示する指示画像表示領域を含み、ユーザからの指示を示すタッチ操作が行われたことを検出するタッチパネルと、
前記地図表示領域に地図画像が表示されている場合において、前記タッチパネルが、前記地図表示領域において、前記拡大指示画像を移動させるスライド操作を検出すると、当該スライド操作が終わったときに前記拡大指示画像が覆う領域に対応した、前記地図画像の一部分である前記領域を拡大した部分拡大地図画像を形成し、前記地図画像の前面に前記部分拡大地図画像を配置して表示するよう前記タッチパネルを制御する表示制御部と、
を備えた地図画像表示装置。
【請求項５】
前記表示制御部は、前記地図画像として表示されている領域内の、ユーザが関心を有するであろうと推定される関心地点に関する情報を前記地図画像の前面に表示するよう前記タッチパネルを制御し、前記部分拡大地図画像の中心点の付近に関心地点があるときは、前記関心地点の座標に前記中心点を合わせて前記部分拡大地図画像を形成する、
ことを特徴とする請求項１乃至４のいずれか１項に記載の地図画像表示装置。
【請求項６】
前記表示制御部は、前記部分拡大地図画像が表示された後に、前記タッチ操作が所定時間以上継続したときは、前記部分拡大地図画像の表示を継続させることを特徴とする、
請求項１乃至５のいずれか１項に記載の地図画像表示装置。
【請求項７】
前記表示制御部は、前記部分拡大地図画像が表示された後に、前記部分拡大地図画像の中心点から所定の距離範囲内にアイコンがあると判定した場合には、前記部分拡大地図画像の表示を継続させることを特徴とする、
請求項１乃至５のいずれか１項に記載の地図画像表示装置。
【請求項８】
前記表示制御部は、前記所定の距離範囲内にある前記アイコンの表示態様を変更することを特徴とする、
請求項７に記載の地図画像表示装置。
【請求項９】
前記表示制御部は、前記所定の距離範囲内にある前記アイコンが移動すると、前記部分拡大地図画像を前記アイコンの移動に追随して移動させることを特徴とする、
請求項７又は８に記載の地図画像表示装置。
【請求項１０】
地図画像を表示する地図表示領域を含み、ユーザからの指示を示すタッチ操作が行われたことを検出するタッチパネルと、
前記地図表示領域に地図画像が表示されている場合において、前記タッチパネルが、前記地図表示領域において、互いに接近した２点を起点として離れるように移動した後に再び近づく軌跡を辿るタッチ操作が行われたことを検出すると、前記タッチ操作の移動軌跡によって画定される疑似閉領域に対応した、当該地図画像の一部分である前記領域を拡大した部分拡大地図画像を形成し、前記地図画像の前面に前記部分拡大地図画像を配置して表示するよう前記タッチパネルを制御する表示制御部と、
を備えた地図画像表示装置。
【請求項１１】
地図画像を表示する地図表示領域を含み、ユーザからの指示を示すタッチ操作が行われたことを検出するタッチパネルと、
前記地図表示領域に地図画像が表示されている場合において、前記地図画像として表示されている領域内の、ユーザが関心を有するであろうと推定される関心地点に関する情報を前記地図画像の前面に表示するよう前記タッチパネルを制御し、前記地図表示領域に前記関心地点に関する情報が少なくとも１つ表示されているときに、前記タッチパネルが、前記少なくとも１つの情報のいずれかを選択するタッチ操作が行われたことを検出すると、当該タッチ操作によって選択された前記情報に対応する関心地点を中心点として、当該地図画像の一部分である領域を拡大した部分拡大地図画像を形成し、前記地図画像の前面に前記部分拡大地図画像を配置して表示するよう前記タッチパネルを制御する表示制御部と、
を備えた地図画像表示装置。
【請求項１２】
前記表示制御部は、前記部分拡大地図画像が表示されている場合において、前記タッチパネルが、前記部分拡大地図画像に重なる点を起点として移動するタッチ操作が行われていることを検出すると、前記タッチ操作されている点の移動に連動して前記部分拡大地図画像を移動させることを特徴とする、
請求項１乃至１１のいずれか１項に記載の地図画像表示装置。
【請求項１３】
前記表示制御部は、前記タッチパネルが、前記部分拡大地図画像の周辺の２点を起点として移動するタッチ操作が行われていることを検出すると、前記タッチ操作されている前記２点間の点の移動に連動して前記部分拡大地図画像を移動させることを特徴とする、
請求項１乃至１１のいずれか１項に記載の地図画像表示装置。
【請求項１４】
前記表示制御部は、前記部分拡大地図画像が表示されている場合において、前記タッチパネルが、前記部分拡大地図画像に少なくとも一方が重なる２点を起点として前記２点が互いに離れる方向に向けて移動するタッチ操作が行われていることを検出すると、前記タッチ操作されている前記２点間の距離の変化に連動して前記部分拡大地図画像の拡大率を上げることを特徴とする、
請求項１乃至１３のいずれか１項に記載の地図画像表示装置。
【請求項１５】
前記表示制御部は、前記部分拡大地図画像が表示されている場合において、前記タッチパネルが、前記部分拡大地図画像に少なくとも一方が重なる２点を起点として前記２点が互いに近づく方向に向けて移動するタッチ操作が行われていることを検出すると、前記タッチ操作されている前記２点間の距離の変化に連動して前記部分拡大地図画像の拡大率を下げることを特徴とする、
請求項１乃至１３のいずれか１項に記載の地図画像表示装置。
【請求項１６】
前記表示制御部は、前記部分拡大地図画像が表示されている場合において、前記タッチパネルが、前記部分拡大地図画像に少なくとも一方が重なる２点において所定の時間又は所定の圧力を超えるタッチ操作が行われたことを検出し、当該検出後に、前記２点が互いに離れる方向に向けて移動するタッチ操作が行われていることを検出すると、前記タッチ操作されている前記２点間の距離の変化に連動して前記部分拡大地図画像を拡大することを特徴とする、
請求項１乃至１５のいずれか１項に記載の地図画像表示装置。
【請求項１７】
前記表示制御部は、前記部分拡大地図画像が表示されている場合において、前記タッチパネルが、前記部分拡大地図画像の外周の２点においてタッチ操作が行われたことを検出し、当該検出後に、前記２点が互いに離れる方向に向けて移動するタッチ操作が行われていることを検出すると、前記タッチ操作されている前記２点間の距離の変化に連動して前記部分拡大地図画像を拡大することを特徴とする、
請求項１乃至１５のいずれか１項に記載の地図画像表示装置。
【請求項１８】
前記表示制御部は、前記タッチパネルが、前記検出したタッチ操作が終了したことを検出すると、前記部分拡大地図画像を表示した後、前記部分拡大地図画像の表示を終了させることを特徴とする、
請求項１乃至１７のいずれか１項に記載の地図画像表示装置。
【発明の詳細な説明】
【技術分野】
【０００１】
本発明は、地図を表示する地図画像表示装置に関する。
【背景技術】
【０００２】
従来から地図を部分的に拡大して表示する技術が知られている。例えば、特許文献１には、地図の一部分を拡大した部分拡大地図が表示されることが記載されている。また、特許文献２にはレンズを用いて地図等の画像の一部分を拡大する技術が記載されている。
【先行技術文献】
【特許文献】
【０００３】
【特許文献１】特開２０１０−２４３６０５号公報
【特許文献２】米国特許出願公開２００２／０４４１５４号明細書
【発明の概要】
【発明が解決しようとする課題】
【０００４】
ところで、近年、画像表示領域を備えたタッチパネルを主たる入力インタフェースとする携帯端末装置などの画像表示装置が急速に広まりつつある。このような入力インタフェースとしては、指で複数のポイントに同時にタッチパネルに触れて操作することができるマルチタッチインターフェースが採用されている。マルチタッチインターフェースでは、ほとんどの操作入力はタッチ操作で行われるため、地図画像を部分的に拡大しようとすると、他のタッチ操作と区別する必要がある。
特許文献１には、マウスカーソルにより指定された拡大中心点を中心として部分拡大地図を生成することが記載されている。また、特許文献２にはタッチペンなどのポインティングデバイスによるタップ操作により部分拡大領域の拡大率を設定する技術が記載されている。しかしながら、マウスやタッチペンなどのポインティングデバイスを用いた操作ではマルチタッチインターフェースに対応することはできない。
【０００５】
そこで、本発明は、このような事情に鑑みて、簡単で直観的なタッチ操作により、地図を部分的に拡大することが可能な画像表示装置を提供する。
【課題を解決するための手段】
【０００６】
本発明の一態様に係る地図画像表示装置は、地図画像を表示する地図表示領域を含み、ユーザからの指示を示すタッチ操作が行われたことを検出するタッチパネルと、前記地図表示領域に地図画像が表示されている場合において、前記タッチパネルが、前記地図表示領域において、所定の時間又は所定の圧力を超えるタッチ操作が行われたことを検出すると、当該タッチ操作された点を中心点として、当該地図画像の一部分である領域を拡大した部分拡大地図画像を形成し、前記地図画像の前面に前記部分拡大地図画像を配置して表示するよう前記タッチパネルを制御する表示制御部とを備えたことを特徴とする。
【０００７】
本発明の別の一態様に係る地図画像表示装置は、地図画像を表示する地図表示領域を含み、ユーザからの指示を示すタッチ操作が行われたことを検出するタッチパネルと、前記地図表示領域に地図画像が表示されている場合において、前記タッチパネルが、前記地図表示領域において、所定の時間又は所定の圧力を超えるタッチ操作が２点において同時に行われたことを検出すると、前記２点間の点を中心点として、当該地図画像の一部分である領域を拡大した部分拡大地図画像を形成し、前記地図画像の前面に前記部分拡大地図画像を配置して表示するよう前記タッチパネルを制御する表示制御部とを備えたことを特徴とする。
【０００８】
本発明の別の一態様に係る地図画像表示装置は、地図画像を表示する地図表示領域を含み、ユーザからの指示を示すタッチ操作が行われたことを検出するタッチパネルと、前記地図表示領域に地図画像が表示されている場合において、前記タッチパネルが、前記地図表示領域において、３点を起点としたピンチアウト操作を検出すると、前記３点で画定される三角形の中の点を中心点として、当該地図画像の一部分である領域を拡大した部分拡大地図画像を形成し、前記地図画像の前面に前記部分拡大地図画像を配置して表示するよう前記タッチパネルを制御する表示制御部とを備えたことを特徴とする。
【０００９】
本発明の別の一態様に係る地図画像表示装置は、地図画像を表示する地図表示領域と予め定められた拡大レンズ型の拡大画像を表示する指示画像表示領域を含み、ユーザからの指示を示すタッチ操作が行われたことを検出するタッチパネルと、前記地図表示領域に地図画像が表示されている場合において、前記タッチパネルが、前記地図表示領域において、前記拡大指示画像を移動させるスライド操作を検出すると、当該スライド操作が終わったときに前記拡大指示画像が覆う領域に対応した、前記地図画像の一部分である前記領域を拡大した部分拡大地図画像を形成し、前記地図画像の前面に前記部分拡大地図画像を配置して表示するよう前記タッチパネルを制御する表示制御部とを備えたことを特徴とする。
【００１０】
本発明の別の一態様に係る地図画像表示装置は、地図画像を表示する地図表示領域を含み、ユーザからの指示を示すタッチ操作が行われたことを検出するタッチパネルと、前記地図表示領域に地図画像が表示されている場合において、前記タッチパネルが、前記地図表示領域において、互いに接近した２点を起点として離れるように移動した後に再び近づく軌跡を辿るタッチ操作が行われたことを検出すると、前記タッチ操作の移動軌跡によって画定される疑似閉領域に対応した、当該地図画像の一部分である前記領域を拡大した部分拡大地図画像を形成し、前記地図画像の前面に前記部分拡大地図画像を配置して表示するよう前記タッチパネルを制御する表示制御部とを備えたことを特徴とする。
【００１１】
本発明の別の一態様に係る地図画像表示装置は、地図画像を表示する地図表示領域を含み、ユーザからの指示を示すタッチ操作が行われたことを検出するタッチパネルと、前記地図表示領域に地図画像が表示されている場合において、前記地図画像として表示されている領域内の、ユーザが関心を有するであろうと推定される関心地点に関する情報を前記地図画像の前面に表示するよう前記タッチパネルを制御し、前記地図表示領域に前記関心地点に関する情報が少なくとも１つ表示されているときに、前記タッチパネルが、前記少なくとも１つの情報のいずれかを選択するタッチ操作が行われたことを検出すると、当該タッチ操作によって選択された前記情報に対応する関心地点を中心点として、当該地図画像の一部分である領域を拡大した部分拡大地図画像を形成し、前記地図画像の前面に前記部分拡大地図画像を配置して表示するよう前記タッチパネルを制御する表示制御部とを備えたことを特徴とする。
【発明の効果】
【００１２】
本発明の一態様においては、タッチパネルの地図表示領域に地図画像が表示されている場合において、地図画像上において、所定の時間又は所定の圧力を超えるタッチ操作が１点において、又は同時に２点において行われると、当該タッチ操作された点又は２点間の点を中心点として、地図画像の一部分を拡大することができる。
本発明の別の態様においては、地図画像上において、３点の指を使ったピンチアウト操作が行われると、３点で画定される三角形の中の点を中心点として、地図画像の一部分を拡大することができる。
本発明の別の態様においては、地図画像上において、予め定められた拡大レンズ型の拡大指示画像を移動させるスライド操作が行われると、当該スライド操作が終わったときに拡大指示画像が覆う領域に対応した、地図画像の一部分を拡大することができる。
本発明の別の態様においては、地図画像上において、２本の指を用いて、互いに接近した２点を起点として離れるように移動した後に再び近づく軌跡を辿るタッチ操作が行われると、タッチ操作の移動軌跡によって画定される疑似閉領域に対応した、地図画像の一部分を拡大することができる。
本発明の別の態様においては、ユーザが関心を有するであろうと推定される関心地点に関する情報が地図表示領域に少なくとも１つ表示されているときに、少なくとも１つの情報のいずれかを選択するタッチ操作が行われると、タッチ操作によって選択された情報に対応する関心地点を中心点として、地図画像の一部分を拡大することができる。
したがって、本発明によれば、簡単で直観的なタッチ操作により、地図を部分的に拡大することが可能となる。
【図面の簡単な説明】
【００１３】
【図１】本発明の実施の形態に係る地図画像表示システムのブロック図である。
【図２】本発明の実施の形態に係る携帯端末装置を示す外観図である。
【図３】本発明の実施の形態に係る携帯端末装置の構成を示すブロック図である。
【図４】本発明の実施の形態に係る表示制御処理の流れを示すフローチャートである。
【図５Ａ】上記表示制御処理における地図表示ページの表示例を示す図である。
【図５Ｂ】上記表示制御処理における地図表示ページ及び部分拡大地図画像の表示例を示す図である。
【図６】上記表示制御処理における、地図画像の部分拡大を指示するタッチ操作の一態様に係る操作例及び表示例を示す図である。
【図７】上記表示制御処理における、地図画像の部分拡大を指示するタッチ操作の一態様に係る操作例及び表示例を示す図である。
【図８】上記表示制御処理における、地図画像の部分拡大を指示するタッチ操作の一態様に係る操作例及び表示例を示す図である。
【図９】上記表示制御処理における、地図画像の部分拡大を指示するタッチ操作の一態様に係る操作例及び表示例を示す図である。
【図１０】上記表示制御処理における、地図画像の部分拡大を指示するタッチ操作の一態様に係る操作例及び表示例を示す図である。
【図１１】上記表示制御処理における、地図画像の部分拡大を指示するタッチ操作の一態様に係る操作例及び表示例を示す図である。
【図１２】上記表示制御処理における、地図画像の部分拡大を指示するタッチ操作の一態様に係る操作例及び表示例を示す図である。
【図１３】上記表示制御処理における、部分拡大地図画像の移動を指示するタッチ操作の一態様に係る操作例及び表示例を示す図である。
【図１４】上記表示制御処理における、部分拡大地図画像の拡大率の変更を指示するタッチ操作の一態様に係る操作例及び表示例を示す図である。
【図１５】上記表示制御処理における、部分拡大地図画像の拡大率の変更を指示するタッチ操作の別の一態様に係る操作例及び表示例を示す図である。
【図１６】上記表示制御処理における、部分拡大地図画像の拡大を指示するタッチ操作の一態様に係る操作例及び表示例を示す図である。
【図１７】本発明の実施の形態の変形例に係るフローチャートである。
【図１８Ａ】本発明の実施の形態の変形例を示す図である。
【図１８Ｂ】本発明の実施の形態の変形例を示す図である。
【図１９】本発明の実施の形態の変形例を示す図である。
【発明を実施するための形態】
【００１４】
以下、添付の図面を参照しながら本発明に係る実施の形態を説明する。
＜構成＞
図１は、本発明の実施の形態に係る地図画像表示システム１のブロック図である。この地図画像表示システム１は、移動通信網ＭＮと、移動通信網ＭＮにゲートウェイＧＷを介して接続する地図情報提供サーバ３０と、移動通信網ＭＮに接続する複数の携帯端末装置（地図画像表示装置）１０とを備える。
【００１５】
地図画像表示システム１は、図５Ａに示すように、携帯端末装置１０の地図画像表示領域に表示中の地図画像ＮＰに、当該地図画像ＮＰとして表示されている領域内の関心地点（ＰＯＩ：Point of Interest）に関する情報（例えば関心地点を表すアイコンや関心地点に関連するテキスト情報）を重ねて表示させる。関心地点は、携帯端末装置１０のユーザが関心を有するであろうと推定される地点であり、映画館、レストラン、美術館、博物館、遊園地などの娯楽施設や、駅や空港などの交通施設、事件が発生した場所、地震や洪水などの災害やゲリラ豪雨が発生した場所が例示される。関心地点に関する情報は地図情報提供サーバ３０から携帯端末装置１０に送信されてもよいし、図示しない外部サーバより送信されてもよい。
【００１６】
地図画像ＮＰは、ラスタ形式又はベクタ形式の画像として表される。前者は、格子状のピクセルで表現された画像であり、携帯端末装置１０の地図画像表示領域に表示すべき地図の拡大率が変わると、その都度、変更後の拡大率で描画された地図画像データが地図情報提供サーバ３０から取得されて更新される。ラスタ画像としては、ＪＰＥＧ、ＧＩＦ、及びＧＩＦが例示される。これに対して、後者は、点の座標とそれを結ぶ線や面の方程式のパラメータ及び塗りつぶしなどの描画情報で画像を表現したものであり、表示する都度計算を行って画像を再現する。本実施形態では、ラスタ形式又はベクタ形式のいずれの形式の地図画像ＮＰを用いてもよい。ラスタ形式の地図画像ＮＰを用いる場合には、地図画像ＮＰを全体的又は部分的に拡大又は縮小する度に携帯端末装置１０は地図情報提供サーバ３０から新たな地図画像ＮＰを取得し、ベクタ形式の画像を用いる場合には、地図画像ＮＰを全体的に又は部分的に拡大又は縮小する度に携帯端末装置１０が計算処理を実行することで拡大又は縮小後の地図画像ＮＰを取得する。
【００１７】
移動通信網ＭＮは、多数の無線基地局及び中継装置（図示略）を有し、携帯端末装置１０に対して移動通信サービスを提供する。
【００１８】
図２は、本発明の実施の形態に係る携帯端末装置１０の外観を示す正面図であり、図３は、携帯端末装置１０の構成を示すブロック図である。携帯端末装置１０は、移動通信網ＭＮ及び通信部１３を介して地図情報提供サーバ３０から地図画像ＮＰを受信し、タッチパネル１２に表示するものである。
【００１９】
図２及び図３に示されるように、携帯端末装置１０は、表示領域１２ａを含むタッチパネル１２、他の携帯端末装置１０及びインターネットとの間でデータの送受信を行うための通信部１３と、記憶部１４と、通話の際に用いられるマイク１５とスピーカ１６、及びこれら各部を制御するＣＰＵ（Central Processing Unit）１１を備える。記憶部１４は、主記憶装置としてのＲＡＭ（Random Access Memory）及びＲＯＭ（Read Only Memory）を含み、さらには、着脱可能な記録媒体を含む。ＲＯＭには、携帯端末装置１０が地図サービスの提供を受ける際に実行されるアプリケーションプログラムとして地図アプリが記憶されている。ＣＰＵ１１はこのアプリケーションプログラムを実行することにより、本実施形態に係る表示制御処理を実行する表示制御部として機能する。
【００２０】
タッチパネル１２は、カバーガラスと表示ユニット（例えば、液晶ディスプレイ、有機ＥＬ(Electroluminescence）ディスプレイ等）との間に、タッチ操作を検出可能な透明なタッチセンサユニットが貼り合わされて構成されている。タッチセンサユニットとしては、抵抗膜方式、静電容量方式（表面型又は投影型）、超音波表面弾性波方式、光学方式、その他の検出方式のものが採用され得る。
タッチパネル１２としては、好適には、正確な多点検出（マルチタッチの検出）が可能な投影型静電容量方式のタッチセンサユニットが採用される。投影型静電容量方式のタッチセンサユニットは、演算処理回路を搭載した基盤層の上に、特定のパターンで透明電極層を大量に配置し、表面にガラス等の絶縁体を重ねることにより構成される。この方式では表面に指を近づけると複数の電極間の静電容量が同時に変化し、電流量の比率を測定することでタッチした位置の特定が可能となる。
【００２１】
タッチパネル１２は、携帯端末装置１０のユーザによるタッチ操作を検出可能であり、１本指を用いたタップ操作のみならず、複数本の指を使ったピンチアウト操作（指を互いに遠ざけるように移動させる操作）やピンチイン操作（指を互いに近づけるように移動させる操作）その他のマルチタッチ操作を検出できる。また、タッチパネル１２は、スライド操作のような連続的なタッチ操作の起点と終点を検出すること、及び、タッチ操作の移動軌跡を検出することが可能である。このため、ユーザが、地図画像ＮＰ上で、２本の指を用いて所望の領域を指でなぞり所望の領域を囲む動作（すなわち、互いに接近した２点を起点として離れるように移動した後に再び近づく軌跡を辿るタッチ操作）を行うと、ユーザは、このタッチ操作の移動軌跡によって画定される疑似閉領域を選択する指示入力を行うことができる。タッチパネル１２は、タッチ操作の開始から終了までの時間を計時するタイマを備えることにより、所定時間を超えて継続するタッチ操作（いわゆる、長押し）を検出することが可能である。また、タッチパネル１２に接触している指の面積を計測することが可能であり、面積が所定サイズを超える場合に圧力が所定量を超えたことを検出する。圧力の検出には、代替的に、圧力検知センサを付加的に設けてもよい。
【００２２】
タッチパネル１２はタッチユニットと表示ユニットとが上下に重なるように貼り合わされて構成されているため、ユーザは、表示領域１２ａに表示されているオブジェクトへのタッチ操作を行うことにより指示入力を行うことが可能である。例えば、ユーザは、オブジェクト（例えば、関心地点のアイコン、関心地点に関連するテキスト情報、指示入力用アイコン、地図アプリを含む各種アプリの起動アイコン）を選択する指示入力をタップ操作により行うこと、オブジェクトの移動を指示する指示入力をスライド操作により行うことができる。すなわち、タッチパネル１２は、ユーザからの指示を示すタッチ操作が行われたことを検出することが可能である。
【００２３】
タッチパネル１２は、ホームボタンや戻るボタンその他の指示入力アイコン、通信状態や電池残量等のアイコンを表示する領域のほかに、移動通信網ＭＮを介して取得したＷＥＢページや各種のメニューページ等を表示する表示領域１２ａを含む。地図アプリにおいては、地図画像ＮＰが表示領域１２ａに表示される他、拡大指示画像（例えば、図９に示すアイコンＧ）等の指示画像が表示領域１２ａに表示されてもよい。指示画像は、地図画像ＮＰと重なって表示されてもよいし、そうでなくてもよい。よって、表示領域１２ａは、少なくとも、地図表示領域として機能する。
【００２４】
＜動作＞
まず、携帯端末装置１０のユーザがタッチパネル１２に表示されている地図アプリの起動アイコンをタップすると、ＣＰＵ１１は、ブログ地図アプリを起動する指示を受け付け、地図情報提供サーバ３０から通信部１３を介して、地図画像ＮＰと地図画像ＮＰ上に表示する関心地点に関する情報を取得し、表示領域１２ａに表示する。地図画像ＮＰとしては、ユーザが現在位置する地域の地図画像が表示されてもよく、ユーザが任意に指定した地域の地図画像が表示されてもよい。地図画像ＮＰが表示されている状態において、図４に示す表示制御処理が開始される。
【００２５】
（１）部分拡大表示制御処理
図４に示されるように、ステップＳ１において、ＣＰＵ１１は、タッチパネル１２が、部分拡大を指示するタッチ操作を検出したか否かを判定する。タッチパネル１２が部分拡大を指示するタッチ操作を検出したと判定すると（Ｓ１：ＹＥＳ）、ＣＰＵ１１は、部分拡大地図画像ＬＰを形成し（Ｓ２）、部分拡大地図画像ＬＰを地図画像ＮＰの前面に配置して、表示する（Ｓ３）。部分拡大地図画像ＬＰは、部分拡大を指示するタッチ操作の検出に応じて、タッチ操作によって指定された位置（点）を中心点として当該地図画像ＮＰの一部分である領域を拡大したものである。ステップＳ３の処理が実行されると、図５Ｂに示されるように、タッチパネル１２の地図表示領域には、部分拡大地図画像ＬＰが地図画像ＮＰの前面に配置されて表示される。すなわち、ＣＰＵ１１は、地図表示領域に地図画像ＮＰが表示されている場合において、タッチパネル１２が、地図表示領域において、部分拡大を指示するタッチ操作が行われたことを検出すると、部分拡大地図画像ＬＰを形成し、地図画像ＮＰの前面に部分拡大地図画像ＬＰを配置して表示するようタッチパネル１２を制御する表示制御部として機能する。
【００２６】
以下、図６〜図１２を参照して、部分拡大を指示するタッチ操作の様々な態様について説明する。これらの図に示す操作例では、ユーザが、関心地点「博物館〇〇」（以下、関心地点Ａとする）をほぼ中心として、地図画像ＮＰを部分的に拡大するタッチ操作を入力する場合を想定する。
【００２７】
（１−１）第１の態様
図６に示されるように、第１の態様では、ユーザが、関心地点Ａが２本の指のほぼ中点となるように、２本の指をタッチパネル１２にタッチして所定時間（Ｔ秒間）より長く押したままにするタッチ操作を行うと、地図画像ＮＰの一部分が拡大される。すなわち、ＣＰＵ１１は、ステップＳ１において、タッチパネル１２が、Ｔ秒間を超えるタッチ操作が２点において同時に行われたことを検出すると、ステップＳ２において、当該２点間の点を中心点として、地図画像ＮＰの一部分である領域を拡大した部分拡大地図画像ＬＰを形成する。ここで、「同時に」とは、２点におけるタッチ操作が完全に互いに一致するタイミングに行われることを要しない。また、ユーザは、関心地点Ａを中心として地図画像ＮＰを部分的に拡大しようとして、関心地点Ａが２本の指のほぼ中点となるように２本の指を配置する可能性が高い。このため、タッチ操作がされた２点間の中点付近を中心点としてする拡大するのが好ましい。よって、部分拡大地図画像ＬＰの中心点となる「２点間の点」とは、好適には、タッチ操作がされた２点間の中点である。
【００２８】
本態様では、部分拡大地図画像ＬＰは所定の拡大率で拡大される。所定の拡大率とは、例えば、ユーザが部分拡大地図画像ＬＰで拡大された地域を徒歩で移動する際に道案内として参照するのに十分な程度の拡大率である。例えば、拡大率Zoom＝６が日本全土、拡大率Zoom＝１０が東京全域を表示する拡大率である場合において、地図画像ＮＰの拡大率を、東京都心部において２駅から３駅分を地図表示領域に表示可能な程度の拡大率（Zoom＝１６）としたとき、部分拡大地図画像ＬＰの所定の拡大率をZoom＝１８に設定する。また、部分拡大地図画像ＬＰとして表示する領域は、中心点から所定距離を半径とした円の範囲に予め定められている。
【００２９】
第１の態様によれば、２本の指を使って所定の時間（Ｔ秒間）よりも長く押すタッチ操作（いわゆる、長押し）によって、簡単で直観的なタッチ操作により、地図を部分的に拡大することが可能となる。
第１の態様の変形として、２本の指の代わりに、１本の指のみを用いて所定の時間（Ｔ秒間）より長く押すタッチ操作を用いるようにしてもよい。この場合には、１本の指でタッチ操作された点を中心点として、部分拡大地図画像ＬＰが形成される。この変形によれば、１本の指だけを用いるので、ユーザは、拡大領域の中心点として設定したい目標地点（目標中心点）に対して指を合わせやすく、より簡単な操作で、地図の所望の領域を部分的に拡大することが可能となる。
【００３０】
（１−２）第２の態様
図７に示されるように、第２の態様では、ユーザが、関心地点Ａが２本の指のほぼ中点となるように、２本の指をタッチパネル１２にタッチして所定の圧力（圧力Ｐ）より強く押すタッチ操作を行うと、地図画像ＮＰの一部分が拡大される。すなわち、ＣＰＵ１１は、ステップＳ１において、タッチパネル１２が、圧力Ｐを超えるタッチ操作が２点において同時に行われたことを検出すると、ステップＳ２において、当該２点間の点を中心点として、地図画像ＮＰの一部分である領域を拡大した部分拡大地図画像ＬＰを形成する。第１の態様と同様に、「同時に」とは、２点におけるタッチ操作が完全に互いに一致するタイミングに行われることを要しない。また、部分拡大地図画像ＬＰの中心点となる「２点間の点」とは、好適には、タッチ操作がされた２点間の中点である。また、第１の態様と同様に、所定の拡大率及び所定の範囲で部分拡大地図画像ＬＰが形成される。
第２の態様によれば、２本の指を使って所定の圧力（圧力Ｐ）より強く押すタッチ操作によって、簡単で直観的なタッチ操作により、地図を部分的に拡大することが可能となる。
また、第１の態様と同様に、２本の指の代わりに１本の指を用いるようにしてもよい。すなわち、１本の指でタッチ操作された点を中心点として、部分拡大地図画像ＬＰを形成するようにしてもよい。
【００３１】
（１−３）第３の態様
図８に第３の態様の操作例を示す。同図に示されるように、第３の態様では、ユーザが、関心地点Ａをほぼ起点として３本指を用いたピンチアウト操作を行うと、地図画像ＮＰの一部分が拡大される。すなわち、ＣＰＵ１１は、ステップＳ１において、タッチパネル１２が、３点を起点としたピンチアウト操作を検出すると、ステップＳ２において、当該３点で画定される三角形の中の点を中心点として、地図画像ＮＰの一部分である領域を拡大した部分拡大地図画像ＬＰを形成する。「３点で画定される三角形の中の点」は、３点の重心位置であってもよいし、３本指のうちの１本（例えば、人差し指）のタッチ位置に最も近い点であってもよいし、前記三角形の中のその他の点であってもよい。上述した態様と同様に、所定の拡大率及び所定の範囲で部分拡大地図画像ＬＰが形成される。
第３の態様によれば、３本の指を使ってピンチアウト操作を用いるので、簡単で直観的なタッチ操作により、地図を部分的に拡大することが可能となる。また、従来から、２本指を使ったピンチアウト操作により地図画像ＮＰ全体を拡大する技術がある。本実施形態の第３の態様によれば、従来のピンチアウト操作と指の本数を変えるだけで地図を部分的に拡大することが可能なので、従来の拡大方法に馴染みやすいという利点がある。
【００３２】
（１−４）第４の態様
図９に示されるように、第４の態様では、地図画像ＮＰ上に虫眼鏡形状のアイコンＧ（予め定められた拡大指示画像）が予め表示されており、ユーザが、アイコンＧをタップ操作した後に、関心地点Ａ付近をタップ操作すると、タップ操作された点を中心として地図画像ＮＰの一部分が拡大される。すなわち、ＣＰＵ１１は、ステップＳ１において、タッチパネル１２が、アイコンＧを選択するタップ操作（選択操作）を検出した後に、地図表示領域においてタップ操作（タッチ操作）を検出すると、ステップＳ２において、当該タップ操作された点を中心点として、地図画像ＮＰの一部分である領域を拡大した部分拡大地図画像ＬＰを形成する。
第４の態様によれば、アイコンＧを選択するタップ操作の後に、地図画像ＮＰ上の目標中心点をタップする操作によって、簡単で直観的なタッチ操作により、地図を部分的に拡大することが可能となる。また、１本の指だけを用いるので、ユーザは、部分拡大領域の目標中心点に対して指を合わせやすい。よって、ユーザにとって視覚的に分かり易い操作で地図の所望の領域を部分的に拡大することが可能となる。
【００３３】
（１−５）第５の態様
図１０に示されるように、第５の態様では、地図画像ＮＰの隅に拡大レンズ型の拡大画像Ｌが予め表示されており、ユーザが、拡大画像Ｌを指でスライドさせ、関心地点Ａを拡大画像Ｌの中に含む位置まで移動せる操作を行う。すなわち、ＣＰＵ１１は、タッチパネル１２が、地図表示領域において、拡大画像Ｌを移動させるスライド操作を検出すると、当該スライド操作が終わったときに拡大画像Ｌが覆う領域に対応した、地図画像ＮＰの一部分である領域を拡大した部分拡大地図画像ＬＰを形成する。上述した態様と同様に、所定の拡大率及び所定の範囲で部分拡大地図画像ＬＰが形成される。
第５の態様によれば、ユーザが、所望の位置まで拡大画像Ｌを指でスライドさせるだけなので、直観的で簡易な方法で、地図を部分的に拡大することが可能となる。また、拡大画像Ｌが予め表示されており、地図画像ＮＰのうち、拡大画像Ｌに覆われている部分は常に拡大されて表示されている。このため、拡大画像Ｌがそのまま部分拡大地図画像ＬＰとして表示され、ユーザは地図の一部の領域が拡大された状態を視認しながら所望の領域まで拡大画像Ｌを移動させればよい。よって、ユーザにとって視覚的に分かり易い操作で地図の所望の領域を部分的に拡大することが可能となる。
【００３４】
（１−６）第６の態様
図１１に、第６の態様に係る操作例を示す。同図に示されるように、第６の態様では、ユーザが、２本の指の先端を互いに近接させた状態でまずタッチパネル１２への接触を開始し、その状態から、２本の指を互いに離れるように移動させた後に再び２本の指の先端が接近するような軌跡を辿るタッチ操作を行うと、当該タッチ操作の移動軌跡によって画定される疑似閉領域ＰＡに囲まれた領域だけが部分的に拡大される。ここで、一方の指が描く移動軌跡をＴＲ１とし、他方の指が描く移動軌跡をＴＲ２とすると、移動軌跡ＴＲ１とＴＲ２とは連結されていない。よって、ＣＰＵ１１は、移動軌跡ＴＲ１とＴＲ２の２つの始点の座標を連結する仮想線ＴＣ１と、２つの終点の座標を連結する仮想線ＴＣ２とを、移動軌跡ＴＲ１及びＴＲ２に描き加えて、疑似閉領域ＰＡとする。すなわち、ＣＰＵ１１は、ステップＳ１において、タッチパネル１２が、地図表示領域において、互いに接近した２点を起点として離れるように移動した後に再び近づく軌跡を辿るタッチ操作が行われたことを検出すると、ステップ２において、当該タッチ操作の移動軌跡ＴＲ１，ＴＲ２によって画定される疑似閉領域ＰＡ（すなわち、移動軌跡ＴＲ１及びＴＲ２、及び仮想線ＴＣ１及びＴＣ２）に対応した、地図画像ＮＰの一部分である領域を拡大した部分拡大地図画像ＬＰを形成する。
【００３５】
図１１には、２本の指をそれぞれ移動させて終点で再び接近させる軌跡を辿る操作例が示されているが、２本の指の一方を支点として固定し、他方の指だけが円弧を描くように移動して支点に戻る軌跡を辿るようなタッチ操作であってもよい。また、移動軌跡によって画定される疑似閉領域ＰＡそのものを部分拡大する領域としてもよいし、疑似閉領域ＰＡに外接（あるいは内接）するような円を部分拡大する領域としてもよい。また、部分拡大する領域は円でなくてもよく、三角形や四角形等の多角形であってもよい。円の場合には、正円に近い円形に限らず楕円形であってもよい。第６の態様では、部分拡大地図画像ＬＰの拡大率は所定の拡大率をとるが、拡大範囲はタッチ操作の移動軌跡の形状に応じて定められるものとなる。
第６の態様によれば、２本の指を用いてユーザが拡大したい領域を囲むように操作するだけで、拡大する領域を自由に定めることができる。よって、直観的かつ簡易な方法で、地図画像中の任意の領域を部分的に拡大することが可能となる。
【００３６】
（１−７）第７の態様
図１２は、第７の態様に係る操作例を示す図である。図１２に示すように、地図画像ＮＰに表示されている関心地点Ａに関する情報（例えば関心地点を表すアイコンや関心地点に関連するテキスト情報）をユーザがタップすると、タップ操作された関心地点Ａを中心として地図画像ＮＰの一部分が拡大される。すなわち、ＣＰＵ１１は、タッチパネル１２が、地図表示領域に少なくとも１つの関心地点Ａに関する情報が表示されているときに、そのいずれかを選択するタッチ操作が行われたことを検出すると、当該タッチ操作によって選択された情報に対応する関心地点Ａ（より具体的には関心地点Ａの座標）を中心点として、地図画像ＮＰの一部分である領域を拡大した部分拡大地図画像ＬＰを形成する。本態様では、第１の態様と同様に、所定の拡大率及び所定の範囲で部分拡大地図画像ＬＰが形成される。
本動作例では、ユーザが関心地点Ａをほぼ中心として地図画像ＮＰを部分的に拡大するタッチ操作を入力する場合を想定している。本態様によれば、関心地点Ａに関する情報をタップするだけで、関心地点Ａの座標を中心点として部分拡大地図画像ＬＰが形成されるので、ユーザにとって直接的で分かり易い方法で地図を部分的に拡大することが可能となる。
【００３７】
以上のように、ＣＰＵ１１は、タッチパネル１２が、部分拡大を指示する第１〜第７のいずれかの態様に係るタッチ操作を検出すると、部分拡大地図画像ＬＰを地図画像ＮＰの前面に表示するようタッチパネル１２を制御する（Ｓ３）。
【００３８】
図４に戻り、ステップＳ４において、ＣＰＵ１１は、タッチパネル１２が、所定時間（Ｔ２秒）内に追加のタッチ操作を検出したかを判定する。この判定結果がＹＥＳの場合、次に、ＣＰＵ１１は、ステップＳ５において、検出した追加のタッチ操作が、（ａ）部分拡大地図画像ＬＰの移動を指示するタッチ操作、（ｂ）部分拡大地図画像ＬＰの拡大率の変更を指示するタッチ操作、（ｃ）部分拡大地図画像ＬＰを拡大又は縮小するタッチ操作、あるいは、（ｄ）その他のタッチ操作のいずれであるかを判別する。そして、判別したタッチ操作に応じた表示制御処理を実行する。具体的には、ＣＰＵ１１は、（ａ）の場合には移動表示制御処理（Ｓ６及びＳ１０）を実行し、（ｂ）の場合には拡大率変更表示制御処理（Ｓ７及びＳ１０）を実行し、（ｃ）の場合には拡大又は縮小表示制御処理（Ｓ８及びＳ１０）を実行する。また、（ｄ）の場合には、検出されたタッチ操作に応じた画像を形成し、形成した画像を表示する処理を実行する（Ｓ９及びＳ１０）。その他のタッチ操作とは、例えば、地図画像ＮＰ全体を移動させるタッチ操作である。この場合において、ＣＰＵ１１は、既に表示されている部分拡大地図画像ＬＰの表示を維持しつつ、地図画像ＮＰの表示領域全体をタッチ操作に応じて移動させた画像を形成して表示するようタッチパネル１２を制御する。
【００３９】
（２）移動表示制御処理
図１３に、部分拡大地図画像ＬＰの移動を指示するタッチ操作の操作例を示す。
同図に示すように、ユーザが、２本の指を部分拡大地図画像ＬＰの周辺に置いた状態で部分拡大地図画像ＬＰを所望の方向へスライドさせるタッチ操作を行うと、部分拡大地図画像ＬＰがスライドされた方向に移動される。この場合、２本の指は部分拡大地図画像ＬＰの周辺にあればよく、部分拡大地図画像ＬＰと重なっていることを要しない。例えば、部分拡大を指示する第１又は第２態様に係るタッチ操作を２本の指を用いて行った場合において、部分拡大地図画像ＬＰが２本の指のいずれとも重ならない位置に表示されたときには、２本の指をそのままスライドさせて表示中の部分拡大地図画像ＬＰを移動させてもよい。この場合、ＣＰＵ１１は、タッチパネル１２が、部分拡大地図画像ＬＰの周辺の２点を起点として移動するタッチ操作が行われていることを検出すると（Ｓ５）、タッチ操作されている２点間の点の移動に連動して部分拡大地図画像ＬＰを移動させるようタッチパネル１２を制御する。すなわち、ＣＰＵ１１は、移動後の部分拡大地図画像ＬＰを形成し（Ｓ６）、ステップＳ１０において、形成した部分拡大地図画像ＬＰをタッチパネル１２に表示する。
【００４０】
別の態様として、１本の指又は２本の指のいずれか一方（又は３本指以上の場合には少なくとも１本の指）を部分拡大地図画像ＬＰに重なるように置いた状態で部分拡大地図画像ＬＰをスライドさせるタッチ操作により、部分拡大地図画像ＬＰを移動させてもよい。この場合には、ＣＰＵ１１は、タッチパネル１２が、部分拡大地図画像ＬＰに重なる点を起点として移動するタッチ操作が行われていることを検出すると、タッチ操作されている点の移動に連動して部分拡大地図画像ＬＰを移動させるようタッチパネル１２を制御する。
【００４１】
移動を指示するタッチ操作は、部分拡大地図画像ＬＰが表示されている状態で行われる。また、部分拡大を指示するタッチ操作（ステップＳ１）と移動を指示するタッチ操作とは継続的に（タッチパネル１２から指を離さずに）行われる場合と、非継続的に（指を一旦離して）行われる場合とがある。例えば、２本の指を用いて部分拡大を指示するタッチ操作（第１又は第２の態様）を行った後、指をタッチパネル１２から離さずに移動を指示するタッチ操作に移行できるが、アイコンＧを選択するタップ操作をした後に、部分拡大領域の目標中心点を１本指でタップして部分拡大地図画像ＬＰを表示させた場合（第４の態様）には、２本の指で部分拡大地図画像ＬＰを移動するタッチ操作をするには指を持ち替える必要がある。そこで、本実施形態では、ＣＰＵ１１は、部分拡大を指示するタッチ操作が入力された後、部分拡大地図画像ＬＰの表示を継続するようにタッチパネル１２を制御する必要がある。この場合、部分拡大地図画像ＬＰの表示の開始から所定期間（Ｔ２秒）にわたって表示を継続するようにタッチパネル１２を制御する。この期間に追加タッチ操作が検出されない場合には（Ｓ４；ＮＯ）、部分拡大地図画像ＬＰの表示は終了する。
【００４２】
また、部分拡大地図画像ＬＰが移動された直後に、連続して他のタッチ操作又は再び移動を指示するタッチ操作が継続的に又は非継続的行われる場合がある。例えば、ユーザが移動後の部分拡大地図画像ＬＰを見て当該画像の拡大率を上げたいと考え、移動後の部分拡大地図画像ＬＰに対してその拡大率を変更するタッチ操作を行うといった場合が考えられる。そこで、本実施形態では、ＣＰＵ１１が、ステップＳ１０の表示処理に続いて、再び、ステップＳ４の判定を行うようにしている。具体的には、ＣＰＵ１１は、移動後の部分拡大地図画像ＬＰの表示の開始から所定時間（Ｔ２秒）以内に追加のタッチ操作が行われたか否かを判定する。これにより、表示した部分拡大地図画像ＬＰ又は地図画像ＮＰに対して上記（ａ）〜（ｄ）のタッチ操作が連続して又は行われた場合にも、部分拡大地図画像ＬＰを表示させたまま次のタッチ操作に応じた画像の表示を行うことが可能となる。
一方、移動後の部分拡大地図画像ＬＰの表示の開始から所定時間（Ｔ２秒）以内に追加のタッチ操作が行われない場合には（Ｓ４；ＮＯ）、移動後の部分拡大地図画像ＬＰの表示は終了する。
【００４３】
（３）拡大率変更表示制御処理
図１４に、部分拡大地図画像ＬＰの拡大率の変更を指示するタッチ操作の操作例を示す。
同図に示すように、ユーザが、２本の指を、その少なくとも一方が部分拡大地図画像ＬＰに重なるようにタッチパネル１２に接触させた状態で互いに離れるように移動するタッチ操作を行うと、部分拡大地図画像ＬＰの拡大率が拡大される。また、図示は省略するが、ユーザが、逆に２本の指を近づけるようなタッチ操作をしたときは、部分拡大地図画像ＬＰの拡大率が小さくなる。よって、ＣＰＵ１１は、タッチパネル１２が、部分拡大地図画像ＬＰに少なくとも一方が重なる２点を起点として２点が互いに離れる方向に向けて移動するタッチ操作が行われていることを検出すると、タッチ操作されている２点間の距離の変化に連動して部分拡大地図画像ＬＰの拡大率を上げ、２点が互いに近づく方向に向けて移動するタッチ操作が行われていることを検出すると、タッチ操作されている２点間の距離の変化に連動して部分拡大地図画像ＬＰの拡大率を下げる（Ｓ７→Ｓ１０）。そして、処理は再びステップＳ４に戻り、拡大率変更後の部分拡大地図画像ＬＰの表示が開始されてから所定時間（Ｔ２秒）以内に追加のタッチ操作が行われたか否かを判定する。所定時間内に追加のタッチ操作がなければ部分拡大地図画像ＬＰの表示を終了し、追加のタッチ操作がある場合には（Ｓ４：ＹＥＳ）、タッチ操作に応じた表示制御処理を実行する。
【００４４】
図１５は、部分拡大地図画像ＬＰの拡大率の変更を指示するタッチ操作の別の操作例を示す図である。図示のように、部分拡大地図画像ＬＰの周囲には環状のダイヤル部を有する拡大率変更画像Ｚが表示されており、ユーザは、拡大率変更画像Ｚのダイヤル部を時計回りに回転させると拡大率を上げることができ、反時計回りに回転させると拡大率を下げることができる。また、回転の角度が大きいほど拡大率の変化が大きくなる。例えば、部分拡大地図画像ＬＰの拡大率Zoomが０から２３までの整数であるとすると、回転角度１５度ごとに拡大率Zoomが変化するように設定され得る。本実施形態では、上述したように、部分拡大を指示するタッチ操作が検出された直後の部分拡大地図画像ＬＰは所定の拡大率（Zoom＝１８）で表示される。よって、拡大率変更画像Ｚは、所定の拡大率を起点として部分拡大地図画像ＬＰを拡大又は縮小させるものである。
【００４５】
なお、図示の例では、部分拡大地図画像ＬＰの円全体を囲む拡大率変更画像Ｚを示したが、拡大率変更画像Ｚは、部分拡大地図画像ＬＰを部分的に囲むような部分的な環状又は半環状であってもよい。また、拡大率変更画像Ｚは部分拡大地図画像ＬＰと一体的に構成される必要はなく、例えば、拡大率変更画像Ｚを部分拡大地図画像ＬＰの近傍に独立させて設けてもよい。かかる場合は必ずしも環状、部分的な環状又は半環状である必要はなく、例えば線状であってもよい。拡大率変更画像Ｚが線状である場合は、画像上をスライドする動作をすることで拡大率を変更させる。
【００４６】
（４）部分拡大地図画像の拡大又は縮小表示制御処理
図１６に、部分拡大地図画像ＬＰの拡大を指示するタッチ操作の操作例を示す。
図示のように、ユーザが、２本の指を、その少なくとも一方が部分拡大地図画像ＬＰに重なるようにタッチパネル１２に接触させた状態で所定時間（Ｔ秒間）よりも長く押すタッチ操作を行った後に、互いに離れるように移動するタッチ操作を行うと、部分拡大地図画像ＬＰが拡大される。また、図示は省略するが、ユーザが、逆に２本の指を近づけるようなタッチ操作をしたときは、部分拡大地図画像ＬＰが小さくなる。よって、ＣＰＵ１１は、タッチパネル１２が、部分拡大地図画像ＬＰに少なくとも一方が重なる２点を起点として所定の時間を超えるタッチ操作が行われたことを検出し、当該検出後に、２点が互いに離れる方向に向けて移動するタッチ操作が行われていることを検出すると、タッチ操作されている２点間の距離の変化に連動して部分拡大地図画像ＬＰを拡大し、上記検出後に２点が互いに近づく方向に向けて移動するタッチ操作が行われていることを検出すると、タッチ操作されている２点間の距離の変化に連動して部分拡大地図画像ＬＰを縮小する（Ｓ８→Ｓ１０）。あるいは、ユーザが、２本の指を部分拡大地図画像ＬＰの外周にタッチした後に、互いに離れるように移動するタッチ操作を行うと、部分拡大地図画像ＬＰが拡大されるようにしてもよい。また、ユーザが、２本の指を部分拡大地図画像ＬＰの外周にタッチした後に、２本の指を近づけるようなタッチ操作をしたときは、部分拡大地図画像ＬＰが小さくなるようにしてもよい。なお、この場合、部分拡大地図画像ＬＰの拡大率は保持されたまま、部分拡大地図画像ＬＰの領域だけが変更される。
【００４７】
拡大又は縮小後の部分拡大地図画像ＬＰの表示が開始されると、処理は再びステップＳ４に戻り、ＣＰＵ１１は、拡大又は縮小後の部分拡大地図画像ＬＰの表示が開始されてから所定時間（Ｔ２秒）以内に追加のタッチ操作が行われたか否かを判定する。そして、所定時間内に追加のタッチ操作がなければ部分拡大地図画像ＬＰの表示を終了し、追加のタッチ操作がある場合には（Ｓ４：ＹＥＳ）、タッチ操作に応じた表示制御処理を実行する。
【００４８】
以上説明したように、本実施形態によれば、直観的且つ簡易なタッチ操作により、地図画像ＮＰを部分的に拡大することができ、さらには、部分拡大地図画像ＬＰを移動、その拡大率の変更、又は、部分拡大地図画像ＬＰの拡大又は縮小を連続して行うことができる。
【００４９】
＜変形例＞
（１）上述した実施の形態では、部分拡大を指示するタッチ操作を検出した後に、部分拡大地図画像ＬＰの表示の開始から所定期間（Ｔ２秒）だけ表示を継続するようにタッチパネル１２を制御する態様について説明した。しかしながら、本発明は、これに限られず、ユーザからの明示的な表示終了指示があるまで部分拡大地図画像ＬＰの表示を継続させるようにタッチパネル１２を制御してもよい。
図１７を参照して、本変形例に係る表示制御処理について説明する。図１７に示す、ステップＳ４ａから始まる処理は、図４のステップＳ１〜Ｓ３に続く処理である。図１７において、図４に示すフローチャートにおける処理と同様の処理については同じステップ番号を付し、その説明は適宜省略する。
【００５０】
まず、ステップＳ４ａにおいて、ＣＰＵ１１は、部分拡大を指示するタッチ操作が、ステップＳ３において部分拡大地図画像ＬＰの表示が開始されてから所定時間（Ｔ３秒、Ｔ３＞Ｔ２）以上継続したか否かを判定する。部分拡大を指示するタッチ操作が部分拡大地図画像ＬＰの表示の開始から所定時間に満たない場合（Ｓ４ａ：ＮＯ）、ＣＰＵ１１は、部分拡大地図画像ＬＰの表示を終了させる。
一方、タッチ操作が所定時間（Ｔ３秒）以上継続している場合（Ｓ４ａ：ＹＥＳ）、ＣＰＵ１１は、部分拡大地図画像ＬＰの表示を継続させ、部分拡大地図画像ＬＰの周辺に図１８Ｂに例示するような閉じるボタンＥ（表示終了指示画像）を表示させる。
【００５１】
ＣＰＵ１１は、次に、タッチパネル１２が、追加のタッチ操作を検出した否かを判定する（Ｓ４ｂ）。追加のタッチ操作が検出されない場合（Ｓ４ｂ：ＮＯ）、ＣＰＵ１１は、追加のタッチ操作が検出されるまでステップＳ４ｂの判定を繰り返す。
追加のタッチ操作が検出されると（Ｓ４ｂ：ＹＥＳ）、次に、ステップＳ４ｃにおいて、ＣＰＵ１１は、タッチパネル１２が、部分拡大地図画像ＬＰの表示の終了を指示するタッチ操作、すなわち、閉じるボタンＥへのタッチ操作を検出した否かを判定する。この判定結果が肯定的な場合には（Ｓ４ｃ：ＹＥＳ）、ＣＰＵ１１は部分拡大地図画像ＬＰの表示を終了し、そうでない場合には（Ｓ４ｃ：ＮＯ）、ステップＳ５の処理に進む。なお、Ｓ４ｃにおける判定処理では、閉じるボタンＥへのタッチ操作を検出する代わりに、例えば、部分拡大地図画像ＬＰのダブルタップ（素早く２回タップする動作）操作を検出してもよい。
【００５２】
上述した実施形態と同様に、ＣＰＵ１１は、ステップＳ５において、追加のタッチ操作が、移動操作、拡大率変更操作、拡大・縮小操作、又はその他の操作のいずれであるかを判別し、判別したタッチ操作に応じた表示制御処理を行う（ステップＳ６〜Ｓ１０）。
この態様によれば、ユーザは、部分拡大を指示するタッチ操作を所定時間（Ｔ３秒）継続させることにより、部分拡大地図画像ＬＰの表示を継続させる指示の入力をすることができる。また、その表示を終了させる指示の入力がされない限り表示が継続されるので、部分拡大地図画像ＬＰの表示を継続したままの状態を長時間保持することが可能となる。よって、ユーザは追加のタッチ操作を急いで行わずとも、部分拡大地図画像ＬＰが表示されている限り何時でも、部分拡大地図画像ＬＰの移動操作、拡大率の変更操作、拡大又は縮小操作を行うことができる。
【００５３】
なお、図１７に示す態様の更なる変形として、ユーザが、部分拡大を指示するタッチ操作を所定時間（Ｔ３秒）継続しなくても、部分拡大地図画像ＬＰを無期限に表示させることとしてもよい。すなわち、ステップＳ４ａの処理を省略してもよい。この場合には、ＣＰＵ１１は、部分拡大地図画像ＬＰを表示する際に、部分拡大地図画像ＬＰの周辺に図１８Ｂに例示するような閉じるボタンＥ（表示終了指示画像）を表示させる。そして、ＣＰＵ１１は、タッチパネル１２が追加のタッチ操作を検出した場合において（Ｓ４ｂ：ＹＥＳ）、当該タッチ操作が閉じるボタンＥへのタッチ操作であるときには（Ｓ４ｃ：ＹＥＳ）、部分拡大地図画像ＬＰの表示を終了する。また、閉じるボタンＥへのタッチ操作を検出する代わりに、例えば、部分拡大地図画像ＬＰのダブルタップ（素早く２回タップする動作）操作を検出してもよい。
この態様によれば、ユーザは、明示的な指示を入力せずとも部分拡大地図画像ＬＰの表示が継続されるので利便性が向上する。
【００５４】
（２）上述した変形例では、タッチパネル１２が、部分拡大地図画像ＬＰの表示開始後にタッチ操作が所定時間（Ｔ３秒）以上継続すると、部分拡大地図画像ＬＰの表示を継続させる態様について説明した。しかしながら、本発明は、これに限られず、以下に説明するような場合に、部分拡大地図画像ＬＰの表示を継続させるようにしてもよい。
図１８Ａ及び図１８Ｂは本変形例に係る操作例及び表示例を示す図である。本変形例では、部分拡大を指示する第１〜第５、及び第７のいずれかの態様に係るタッチ操作がタッチパネル１２によって検出されると、アイコンＰが部分拡大地図画像ＬＰの中心点を中心とした所定の距離範囲Ｄ内である場合には部分拡大地図画像ＬＰの表示を継続させる。すなわち、図１７のステップＳ４ａにおいて、タッチ操作が所定時間以上継続したか否かを判定する代わりに、ＣＰＵ１１は、アイコンＰが部分拡大地図画像ＬＰの中心点を中心とした所定の距離範囲Ｄ内であるか否かを判定する。図示の例では、図１８Ａに示すアイコンＰは所定の距離範囲Ｄ外にあるのでこの場合には表示は継続されず、図１８Ｂに示すアイコンＰは所定の距離範囲Ｄ内にあるのでこの場合には表示は継続される。好適には、表示が継続されている状態にあることをユーザに示すために、距離範囲Ｄ内にあるアイコンＰ（図１８Ｂ）と距離範囲Ｄ外にある示すアイコンＰ（図１８Ａ）との間で、色彩その他の表示態様を異ならせる。なお、表示態様としては、色彩のほか、形状、模様、動的表示（例えば点滅表示）が例示される。
アイコンＰとしては、ユーザ自身の現在位置を示すアイコン、移動体（例えば、バスや電車）の現在位置を示すアイコン、部分拡大地図画像ＬＰ内の関心地点のアイコン、その他のユーザが注目することが推定されるオブジェクト又はユーザの明示的な指示により注目しているオブジェクトのアイコンがある。
【００５５】
また、本変形例では、部分拡大を指示する第１〜第５、及び第７のいずれかの態様に係るタッチ操作が検出されたときに、アイコンＰが部分拡大地図画像ＬＰの中心点を中心とした所定の距離範囲Ｄ外である場合には部分拡大地図画像ＬＰの表示は継続されないが、部分拡大を指示するタッチ操作の直後（部分拡大地図画像ＬＰの表示の開始からＴ２秒内）に、ユーザが部分拡大地図画像ＬＰを移動させるタッチ操作（すなわち、図１８Ａに示す状態から図１８Ｂに示す状態に遷移させるタッチ操作）を行なった結果、ＣＰＵ１１が、アイコンＰが所定の距離範囲Ｄ内にあると判定することとなった場合にも、部分拡大地図画像ＬＰの表示が継続される。この場合にも、表示が継続される状態に変化したことをユーザに示すために、アイコンＰが距離範囲Ｄ内に入ったときにアイコンＰの表示態様を変化させることが好ましい。
すなわち、ＣＰＵ１１は、部分拡大地図画像ＬＰが一旦表示された後に、部分拡大地図画像ＬＰの中心点から所定の距離範囲Ｄ内にアイコンＰがあると判定した場合には、部分拡大地図画像ＬＰの表示を継続させるようタッチパネル１２を制御する。
【００５６】
また、本変形例において、アイコンＰが移動体である場合に、ＣＰＵ１１は、所定の距離範囲Ｄ内にあるアイコンＰが移動すると、アイコンＰの移動に追随して、部分拡大地図画像ＬＰを移動させるようにタッチパネル１２を制御してもよい。この場合において、アイコンＰがユーザ自身の現在位置を示すアイコンであるときには、ユーザの現在位置に追随して部分拡大地図画像ＬＰも移動するので、ユーザ自身の移動経路周辺の地図が常に拡大された状態で自動的に表示される。すなわち、経路の把握に適切な拡大率で表示された地図が常に表示されるので、ユーザが不案内な場所で移動する場合に道に迷う可能性が低減され、利便性が向上する。
閉じるボタンＥへのタッチ操作（または部分拡大地図画像ＬＰのダブルタップ操作）が検出されると、部分拡大地図画像ＬＰの表示は終了する（図１７のＳ４ｃ：ＹＥＳ）。
【００５７】
（３）上述した変形例では、タッチパネル１２が、部分拡大地図画像ＬＰの表示の終了を指示するタッチ操作を検出すると、部分拡大地図画像ＬＰの表示を終了させる態様について説明した（図１７のＳ４ｃ）。しかしながら、本発明は、これに限られず、部分拡大地図画像ＬＰの拡大率が最小になったときもしくは地図画像ＮＰの拡大率と一致したときに、表示を終了するようにしてもよい。
【００５８】
（４）上述した実施形態及び変形例では、部分拡大を指示するタッチ操作、部分拡大地図画像ＬＰの移動を指示するタッチ操作、拡大率の変更を指示するタッチ操作、又は拡大もしくは縮小をするタッチ操作が検出されると、所定時間、又は明示的な表示終了指示が検出されるまで無期限に部分拡大地図画像ＬＰを表示させる態様について説明した。しかしながら、本発明はこれに限られず、タッチ操作が終了すると、すなわち、ユーザがタッチ操作をしてタッチパネル１２から指を離すと、タッチ操作に応じた部分拡大地図画像ＬＰを一旦表示した後、表示を終了させるようにしてもよい。すなわち、ＣＰＵ１１は、タッチパネル１２が、検出したタッチ操作が終了したことを検出すると、部分拡大地図画像ＬＰを表示した後、部分拡大地図画像ＬＰの表示を終了させるようタッチパネル１２を制御してもよい。
【００５９】
（５）上述した実施形態では、部分拡大を指示するタッチ操作が検出されると、第１の態様及び第２の態様では、タッチ操作された点又は２間点の点、第３の態様ではピンチアウト操作の３起点で画定される三角形の中の点、第４の態様では虫眼鏡形状のアイコンＧをタップ操作した後にタップされた点を中心点として、部分拡大地図画像ＬＰを形成していた。また、第５の態様ではタッチ操作から直接的に部分拡大地図画像ＬＰの中心点が定められるものではないが、ユーザが、関心地点Ａが拡大レンズ型の拡大画像Ｌのほぼ中心となるように拡大画像Ｌを指でスライドさせる操作を行う場合を想定している。しかしながら、ユーザが目標中心点とする位置と実際のタッチ位置（スライド操作の場合にはスライド操作が終わったときに拡大画像Ｌが覆う領域の中心）とは必ずしも一致しない。そこで、図１９に示すように、本変形例では、ＣＰＵ１１は、部分拡大を指示する第１〜第５のいずれかの態様に係るタッチ操作（又はスライド操作）が検出され、部分拡大地図画像ＬＰを表示しようとする場合において、その中心点Ｃの付近に関心地点Ａがあるときは、当該関心地点Ａの座標に中心点Ｃを合わせて部分拡大地図画像ＬＰを形成するようにしている。本変形例によれば、部分拡大地図画像ＬＰの中心点を関心地点Ａの座標に微調整したうえで表示するので、ユーザが真に意図する点を中心とした部分拡大地図画像ＬＰを表示することが可能となる。
【００６０】
（６）上述した実施形態では、地図画像表示装置は携帯端末装置１０であるとして説明したが、これに限られず、電話機能を有しない携帯端末装置であってもよく、タッチパネル１２を有する据置型のコンピュータ装置であってもよい。また、上述した実施形態では、表示領域を有するタッチパネルに表示されている地図画像の一部分の領域を拡大する例について説明したが、地図画像に限られず、文字画像、写真画像、描画画像、その他の画像であってもよい。
【符号の説明】
【００６１】
１……地図画像表示システム、１０……携帯端末装置（地図画像表示装置）、１１……ＣＰＵ（表示制御部）、１２……タッチパネル、１３……通信部、１４……記憶部、１５……マイク、１６……スピーカ、３０……地図情報提供サーバ、Ａ……関心地点、ＬＰ……部分拡大地図画像、ＮＰ……地図画像、ＴＲ１，ＴＲ２……移動軌跡。
【図１】
2015060144.tif 000003
【図２】
2015060144.tif 000004
【図３】
2015060144.tif 000005
【図４】
2015060144.tif 000006
【図５Ａ】
2015060144.tif 000007
【図５Ｂ】
2015060144.tif 000008
【図６】
2015060144.tif 000009
【図８】
2015060144.tif 000010
【図９】
2015060144.tif 000011
【図１０】
2015060144.tif 000012
【図１１】
2015060144.tif 000013
【図１２】
2015060144.tif 000014
【図１３】
2015060144.tif 000015
【図１４】
2015060144.tif 000016
【図１５】
2015060144.tif 000017
【図１６】
2015060144.tif 000018
【図１７】
2015060144.tif 000019
【図１８Ａ】
2015060144.tif 000020
【図１８Ｂ】
2015060144.tif 000021
【図１９】
2015060144.tif 000022
【図７】
2015060144.tif 000023